(57)【要約】  ティッシュペーパーロール用のチューブ状コア（１）は、２つの連続するコイル（Ｓ）が部分的にオーバラップするように、巻き付けヘリックスのピッチがテープ（１０）自身の幅よりずっと小さくなるような１つまたは複数の螺旋状に巻き付けられたテープを有するティッシュペーパーの少なくとも１つのテープからなる。チューブ状コア（１）において、同じチューブ状コア（１）の長手方向軸に沿って好ましくはずらした相対ヘリカルコイル内に同時に巻き付けられた幾つかのティッシュペーパーテープ（１０）が存在する場合がある。各テープ（１０）のコイル（Ｓ）は、コイルが部分的にオーバラップするエリアにおいて、コイル間に挿入される接着剤フィルム（２）によって互いに固定される。接着剤フィルム（２）は、好ましくは、コイル（Ｓ）自身の巻き付け方向に応じて連続である。前記接着剤フィルム（２）の存在は、ヘリカルコイル（Ｓ）間のしっかりとした接続を生成し、チューブ状コア（１）上に巻き付けるために、衛生的使用のためのティッシュペーパーロールあるいは家庭用テープ材料または他のテープ材料を受取るチューブ状コア（１）に対する必要な構造耐力を与える。【選択図】図１
2020511198.tif 000002
【特許請求の範囲】
【請求項１】
ティッシュペーパーロールまたは他のテープペーパー材料を巻き付けるために設計されたチューブ状コアであって、
−  １つまたは複数のプライの螺旋巻き付け式ティッシュペーパーの少なくとも１つのテープ（１０）であって、チューブ状コア（１）の軸に垂直な汎用セクションにおいて、前記テープ（１０）の３以上の所定の数のコイル（Ｓ）がオーバラップするように、巻き付けヘリックスのピッチが前記テープ（１０）自身の幅よりずっと小さいようなものである、１つまたは複数のプライの螺旋巻きティッシュペーパーの少なくとも１つのテープ（１０）；
−  前記テープ（１０）の後続の部分的にオーバラップするコイル（Ｓ）のそれぞれの対の間に挿入されるように、前記テープ（１０）に関して螺旋状に巻き付けられた接着剤フィルム（２）であって、前記コイル（Ｓ）を接続し、前記チューブ状コア（１）の必要な構造的強度を保証するために寄与することを意図される接着剤フィルム（２）；
からなるチューブ状コア。
【請求項２】
複数のティッシュペーパーテープ（１０）であって、テープ（１０）自身の幅よりずっと小さいヘリックスピッチに従って螺旋状に巻き付けられる、複数のティッシュペーパーテープ（１０）を提供すること、及び、各前記テープ（１０）が、先行するテープ（１０）の上に、前記テープ（１０）のコイル（Ｓ）が前記チューブ状コア（１）の長手方向軸に沿って所定の量だけずれるように巻き付けられることを特徴とする、請求項１に記載のチューブ状コア。
【請求項３】
前記接着剤フィルム（２）は、巻き付け方向に連続し、同じ前記チューブ状コア（１）の長手方向進行において、ヘリックス螺旋形状をとることを特徴とする、請求項１または２に記載のチューブ状コア。
【請求項４】
前記テープ（１０）は、接着剤の量が前記接着剤フィルム（２）の残りの部分より多い、小さいストライプの接着剤テープ（３）を更に提供し、前記接着剤テープ（３）は、閉鎖縁に対応して設置されて、下にあるコイル（Ｓ）に対する 前記接着剤テープ（３）の締結を改善することを特徴とする、請求項１から３のいずれか１項に記載のチューブ状コア。
【請求項５】
各前記テープ（１０）の前記接着剤フィルム（２）は、最初の前記接着剤フィルム（２）の後で、有利には前記テープ（１０）自身の幅に等しい幅であることを特徴とする、複数の互いにずれたテープを備える請求項１または２に記載のチューブ状コア。
【請求項６】
ティッシュペーパーロールまたは他のテープペーパー材料用のチューブ状コア（１）を生産するための方法であって、
−  同じ幅の少なくとも１つの相対リール（Ｂ）からティッシュペーパーの少なくとも１つのテープ（１０）を巻き解くステップ；
−  前記ティッシュペーパーテープ（１０）のスピンドル（Ｍ）上への巻き付けであって、形成する各コイル（Ｓ）が直前のコイルに部分的にオーバラップし、及び前記コアの軸に垂直な特定のセクションにおいて少なくとも３つのコイルがオーバラップするように、前記テープ（１０）の幅よりずっと小さいピッチを有するヘリックス螺旋に従って実施される、巻き付けステップ；
−  前記テープ（１０）の一方の側面への接着剤フィルム（２）の塗布であって、接着剤の塗布は、前記リール（Ｂ）からの前記巻き解きと前記スピンドル（Ｍ）上への前記巻き付けとの間に行われ、接着剤の塗布は、直前のコイルにオーバラップするまたは後続のコイルによってオーバラップされることを意図される前記テープ（１０）の幅の所定の部分上に実質的に均一に前記接着剤フィルム（２）を分配するように適合される、接着剤フィルム（２）の塗布ステップ；
を提供する方法。
【請求項７】
前記接着剤フィルム（２）は、前記スピンドル（Ｍ）上に巻き付けられる相対コイル（Ｓ）の内側表面になることを意図される前記テープ（１０）の側面に塗布され、接着剤の前記塗布は、前記テープ（１０）の幅の所定の部分上に実質的に均一な方式で前記接着剤フィルム（２）を分配するように適合され、それにより、前記スピンドル（Ｍ）上に巻き付けると、前記接着剤フィルム（２）は、直前のコイルにオーバラップし、前記スピンドル（Ｍ）の外側表面に接触しないことを特徴とする、請求項６に記載の方法。
【請求項８】
前記巻き付けフェーズ中に、前記コイル（Ｓ）は前記スピンドル（Ｍ）に対して軸方向に摺動して、連続パイプ（Ｔ）を形成し、前記形成する連続パイプ（Ｔ）の切断フェーズは、前記連続パイプ（Ｔ）を、前記チューブ状コア（１）の長さに対応する長さのセクションになるように切断するために提供されることを特徴とする、請求項６または７に記載の方法。
【請求項９】
前記連続パイプ（Ｔ）の前記切断フェーズの前に、前記連続パイプ（Ｔ）の乾燥フェーズが設けられることを特徴とする、請求項６または７から８に記載の方法。
【請求項１０】
前記チューブ状コア（１）の長手方向軸に沿って、所定の量だけ互いに入れ違いになったそれぞれのヘリカル螺旋に従って、対応するリール（Ｂ）からのティッシュペーパーの前記複数のテープ（１０）の同時巻き解き、及び、前記スピンドル（Ｍ）上への前記複数のテープ（１０）の同時巻き付けを提供することを特徴とする、請求項６または７から９に記載の方法。
【発明の詳細な説明】
【技術分野】
【０００１】
本発明は、ティッシュペーパーロール、不織布、または他のテープ材料がその上に巻き付けられるチューブ状コアの生産に特に関連する、ペーパー業界の技術部門に属する。
【背景技術】
【０００２】
知られているように、こうしたコアは、好ましくは、それ自体知られているチュービング機またはチューブ成形機等の知られている機械によって厚紙で作られ、それらの機械は、前記厚紙の１つまたは複数のテープを金属スピンドルにコイル状に巻き付けて、連続パイプを形成する。
【０００３】
出口において、チューブは、巻き付けられなければならないことになるティッシュペーパーロールの幅に対応するサイズに切断され、その後、ペーパーロールの幅のロールを形成するリワインダーに給送される。
【０００４】
ロールを相対チューブ状コアに巻き付けた後、ロールは、商業化に適するサイズのロールを得るために更に軸方向に分割される。
【０００５】
チューブ状コアを実現するための厚紙の選択は、良好な機械抵抗と、低コストの原材料、ならびにティッシュペーパーロールが完全に使用されてしまったときの容易な廃棄及び同材料の再利用を全て満足させる必要性による。
【０００６】
チューブ状コアは紙材料チューブ状コアと呼ばれ、さらにまたペーパーと共に廃棄可能であるが、下水管を確実に詰まらせることになるため、トイレに投げ捨てることは可能でない。
【０００７】
厚紙は、実際には、ティッシュペーパーよりずっとゆっくりと水を吸収するため、分解するのに長い時間がかかる。
【０００８】
そのため、その急速な分解に頼って下水道を通して直接廃棄できるティッシュペーパーと違って、厚紙コアは、他の固体廃棄物の廃棄についての通常の手順、すなわち、別個の収集、紙ビンの生ごみ処理機による撤去、清掃センターへの移送等に従うべきである。
【０００９】
本発明者等は、問題が、そのグローバルな次元で考えて、コストと環境影響の両方の観点で、決して無視できるものではないことを理解している。
【００１０】
この欠点を克服するために、チューブ状コアがティッシュペーパーを含むことが同様に望ましいだろうが、克服されるべき技術的問題は、こうしたコアに、軸方向と半径方向の両方の応力に対する必要な機械抵抗を与えることである。
【００１１】
国際公開第２００９／００７５５１号は、ティッシュペーパーで作ったチューブ状コア及びそれを得るための方法を記載する。
【００１２】
前記コアは、チューブ状コアを厚紙で作る従来の技法に従って、すなわち巻き付けのピッチを巻き付けられるテープの幅に正確に等しくしてコイルを正確に並べて設置することによって螺旋状に巻き付けられる、澱粉を少なくとも局所的に含浸されたティッシュペーパーの少なくとも１つのテープによって構成される；澱粉は、コア自身の構造的剛性を増す機能を託される。
【００１３】
螺旋状に巻き付けられるティッシュペーパーが、必要とされるコンシステンシー及び剛性(ｒｉｇｉｄｉｔｙ)を有するために、実施形態の特有の方法が提供され、その方法は、
−  １つまたは複数のプライを有するティッシュペーパーの２つのテープを、プライの間に接着剤層を挿入しながら結合すること；
−  プライの所望の総数ならびに所望のコンシステンシー及びコシ(ｓｔｉｆｆｎｅｓｓ)が達成されるまで、それぞれの接着剤層を挿入しながら、最初の２つのテープに１つまたは複数のプライを有する更なるテープを結合すること
を可能にする。
【００１４】
プライの間に挿入される接着剤は、片栗粉または片栗粉とポリビニルアルコール、ポリエチレングリコールの混合物からなる。
【００１５】
ここで述べた従来の方法に従って得られ、上記文書の説明に示され、従来の厚紙コアの機械的強度と比較されたチューブ状コアの機械的強度に関する結果が、信頼性があることを考慮すると、満足のいく結果に達することができることを推測できる。
【００１６】
上述した方法と同様の生産方法によってティッシュで作られるチューブ状コアを記載する更なる特許文章は、例えば、米国特許第２０１６０１４４５９０号明細書及び米国特許第２０１１０２８７２７３号明細書である。同様にこれらの文書において、ティッシュペーパーテープは、好ましくはセルロース澱粉で作られた接着剤によって含浸されかつ接合された２つ以上のオーバラップしたプライで作られる。その後、厚紙のものと同様の厚さ及びコンシステンシーを有する、得られたペーパーテープは、厚紙テープから始めて、チューブ状コアを生産するために慣例的に使用される方法で螺旋状に巻き付けられる。より具体的には、テープは、連続的に並んで配置されたままである複数のコイルになるように、金属スピンドルにヘリックス状に巻き付けられる。コイルは、接着剤のテープによって、または第１のテープ上に更なるテープを第1のテープと同じピッチであるが第１のテープに関してヘリックスをずらした状態でヘリックス状に巻き付けることによって、互いに接続するため、第２のテープは、下にあるテープのコイルのシームラインを覆う。上で引用した文書の方法によって得られる従来のティッシュコアと厚紙コアの両方において、テープがヘリックス状に巻き付けられたコイルは必ず互いに隣接し、テープの大きい厚さ及びコシによってオーバラップしない可能性があり、そのことは、巻き付けられた材料のしわ及び／または折り目、したがって、使用不能製品及び／またはマシーンジャムを引起すだろう。
【００１７】
さらに、上で概説された方法の実装は、多数のプライによって形成されるテープをそれによって得る、作動ピッチならびに特定の機械の必要性を、チューブを形成するときにそれらを使用できる前に判定する。
【００１８】
さらに、こうして形成されるチューブ状コアは、ティッシュで作られるが、もはや転動不能であるため、ペーパーを更なる量のトイレットペーパーまたはキッチンペーパーとして使用することは可能でない、なぜならば、チューブ状コアが、いずれにしても、剛性でありかつ非常に制限された表面を有することになるからである。
【００１９】
これらの制限が、生産速度、使用し易さ、ならびに、より多くのプライを有するテープを作るために必要とされる機械類のコストの点で、負の側面をどのように構成するかを理解することは容易である。
【先行技術文献】
【特許文献】
【００２０】
【特許文献１】国際公開第２００９／００７５５１号
【特許文献２】米国特許第２０１６０１４４５９０号明細書
【特許文献３】米国特許第２０１１０２８７２７３号明細書
【発明の概要】
【発明が解決しようとする課題】
【００２１】
したがって、本発明の目的は、チューブ状コアに巻き付けられることを意図されるティッシュペーパーと同様のティッシュペーパーで作られるティッシュペーパーロール用のチューブ状コアを提供することである。
【００２２】
本発明の別の目的は、チューブ状コアに巻き付けられることを意図されるティッシュペーパーと同様のティッシュペーパーで作られるチューブ状コアを提供することであり、そのチューブ状コアは、連続チューブ状コアの生産のために特に設計された単純かつ安価な機械を使用することによって生産することができる。
【００２３】
本発明の別の目的は、チューブ状コアに巻き付けられることを意図されるティッシュペーパーと同様のティッシュペーパーのチューブ状コアを生産するための方法を提案することであり、その方法は、多数のプライを有するティッシュペーパーのテープを調製するための知られている技術の方法において提供される予備ピッチをなくすのに適する。
【００２４】
本発明の別の目的は、ティッシュペーパーで作られるチューブ状コアであって、使用するのに適した機械抵抗を有し、適切な接着剤量を使用して作られチューブ状コアのそれぞれのエリアが均質でなければならない、チューブ状コアを提供することである。
【００２５】
本発明の更なる目的は、生産時間及びコストの有意の変動をもたらすことなく、得られるティッシュチューブ状コアの機械特性を修正できることである。
【００２６】
本発明のなお別の目的は、チューブ状コアであって、チューブ状コア上に巻き付けられたロールのティッシュペーパーが使い尽くされると、そのロールのティッシュペーパーと同様に使用できるティッシュペーパーで構成されたチューブ状コアを提案することである。
【００２７】
本発明の別の目的は、チューブ状コアが、そのまま廃棄される、または、ロールのティッシュペーパーのようにたとえトイレット排出されても何らかの使用のために使用されることを可能にすることである。
【００２８】
本発明の更なる目的は、極端に高い効率を有するチューブ状ティッシュコアを生産するための方法を提案することである。
【００２９】
本発明の別の目的は、機械の管理のために機械の周りに存在するスタッフの必要性を減らすことができる方法を提案することである。
【００３０】
本発明の別の目的は、巻き付けられるロールを商業的幅のロールに切断するために慣例的に使用される円形ナイフの摩滅に関係するロールの生産コストを低減できる方法を提案することである。
【課題を解決するための手段】
【００３１】
上記のまた他の目的は、ティッシュペーパーロールまたは他のテープ材料を巻き付けるためのチューブ状コアによって得られ、チューブ状コアは、
−  螺旋状に巻き付けられた１つまたは複数のプライを有するティッシュペーパーの少なくとも１つのテープであって、前記チューブ状コアの軸に垂直な汎用セクションにおいて、前記テープの３以上の所定の数のコイルが重なるように、巻き付けヘリックスのピッチがテープの幅よりずっと小さいようなものであるテープ；
−  前記テープの後続の部分的にオーバラップするコイルのそれぞれの対の間に挿入されるように、前記テープと共に螺旋状に巻き付けられた接着剤であって、前記コイルを接続し、前記チューブ状コアの必要な構造的強度を保証するために寄与することを意図される接着剤フィルム
からなる。
【００３２】
上述したチューブ状ティッシュコアは、特に経済的かつ有利であり、なぜならば、コアに巻き付けられるテープ材料の使用が終了すると、コアは、ティッシュペーパーの慣例上意図される使用を可能にするために大きい表面積かつ十分に軟質のティッシュシートを得るように、コアを巻き解くことによって使用することができるからである。
【００３３】
上記目的は、ティッシュペーパーロール用のチューブ状コアを生産するための方法によって同様に達成され、方法において、
−  少なくとも１つのティッシュペーパーリールの巻き解き；
−  前記リールから巻き解かれるティッシュペーパーテープのスピンドル上への巻き付けであって、形成中の各コイルがテープ自身の全体幅の約数に比例する幅で直前のコイルにオーバラップするようなピッチの、ヘリックス螺旋に従って実施される巻き付け；
−  テープの一方の側面への接着剤フィルムの塗布であって、前記リールからの巻き解きとスピンドル上への巻き付けとの間に行われ、直前のコイルにオーバラップするまたは後続のコイルによってオーバラップされることを意図されるテープの幅の所定の部分にわたって実質的に均一に接着剤フィルムを分配するために提供される接着剤フィルムの塗布、
が規定される。
【００３４】
本発明の特徴は、特許請求項に述べられるものに従いかつ添付図面の助けを借りて、目的において言及された、ティッシュペーパーロール用のチューブ状コアを作るための方法及びこの方法によって作られるチューブ状コアの好ましい実施形態の以下の説明から明らかになる。
【図面の簡単な説明】
【００３５】
【図１】当該の方法による、スピンドルの周りに形成される第１のタイプのチューブ状ティッシュペーパーコアを、不等角投影図で概略的に示す図である。
【図２】同じ方法に従って形成される第２のタイプのチューブ状コアを、図１と同様の図で示す図である。
【図３】スピンドル上に形成される本発明によるチューブ状コアの長手方向セクションの、著しく拡大したスケールにおける詳細図であり、スピンドル自身上へのティッシュペーパーコイルのオーバラップを強調するためのものである。
【図４】方法の実装のために使用可能な連続チューブ成形機を側面から概略的に示す図である。
【図５】図５の機械を平面図で概略的に示す図である。
【発明を実施するための形態】
【００３６】
上記図において、本発明のチューブ状ティッシュペーパーコアの対象物が参照１によって全体として示されている。
【００３７】
チューブ状コア１は、導入部で既に述べたように、示さない家庭用使用または産業用使用のためのティッシュペーパーロールが巻き付けられる中心コアを構成することを意図される。
【００３８】
本発明によれば、チューブ状コア１は、１つまたは複数の螺旋巻き付け式プライを有する少なくとも１つのティッシュペーパーテープ１０であって、前記チューブ状コア１の軸に垂直な汎用セクションにおいて前記ティッシュペーパーのコイルＳの数がテープ１０の幅値及びヘリックスのピッチ値に応じて３以上であるように、巻き付けヘリックスのピッチがテープ１０自身（図１）の幅よりずっと小さいようなものである、１つまたは複数の螺旋巻き付け式プライを有する少なくとも１つのティッシュペーパーテープ１０からなる。
【００３９】
コイルＳのそれぞれの連続する対の下に、接着剤フィルム２が挿入され、接着剤フィルム２は、オーバラップされるテープ幅のほぼ全体部分にわたって実質的に均一に分配される。
【００４０】
好ましくは、接着剤フィルム２は、巻き付け方向に従って連続であり、したがってチューブ状コア１においてヘリカル螺旋形状を同様にとって前記コイルＳを重ねて接続しコイルＳを実質的に単体にし、それにより前記チューブ状コア１の必要な構造的強度を保証することに決定的に寄与する。
【００４１】
コイルＳのコイルを巻き付けるために選択されるピッチにしたがって、前記チューブ状コア１の軸に垂直な汎用セクションにおいてオーバラップする、より多いまたはより少ないコイルが存在するであろう。
【００４２】
ヘリックスのピッチの値を減少させ、その結果、チューブ状コア１の単位長当たりにより多くのコイルＳを得ることによって、チューブ状コア１の構造的強度が増加するであろう。
【００４３】
オーバラップするコイルの数は、３から２００の間の範囲に含まれ、家庭用使用のためのティッシュペーパーロールの場合、前記チューブのコストを厚紙チューブのコストと同等にするために、好ましくは、１０から３０の間である。
【００４４】
本発明によるチューブ状コアの形成を予定されるマルチプライティッシュペーパーのテープを、プライを結合する種々の手段を設けることによって提供することができ、種々の手段は、平滑プライの単純な糊付けから、糊付け技法、ティップ／ティップまたはティップ／ブランクまたは平滑プライに対するティップ等の当業者に知られている方法の使用に及ぶことが留意されるべきである。
【００４５】
チューブ状コア１の変形実施形態において、複数（図２の非制限的な例では２）のティッシュペーパーテープ１０を使用することが想定され、各テープ１０は、その幅よりずっと小さいヘリックスピッチに従って螺旋状に巻き付けられ、より正確には幅の約数に比例する。
【００４６】
有利には、各テープ１０は、直前のテープ上に巻き付けられるため、相対コイルＳは、上記チューブ状コア１の長手方向軸に沿って所定の量だけずらされる。
【００４７】
図２において、２つのテープ、それぞれ第１のテープ１０’及び第２のテープ１０’’が示され、第２のテープ１０’’はその幅の端の近くで第１のテープにオーバラップする。
【００４８】
各テープ１０’、１０’’の内側表面であって、スピンドルＭに巻き付けられる相対コイルの内側表面になることをより正確には意図される内側表面上で、相対接着剤フィルム２が、直前のコイル上にオーバラップしその結果スピンドルＭと接触しない幅の部分に等しい幅を持って、適した位置（図２）に塗布される。
【００４９】
示す有利な実施形態において、第２のテープ１０’’は、接着剤の量が接着剤フィルム２の残りの部分より多い狭い接着剤テープ３を更に備え、狭い接着剤テープ３は、閉鎖縁に対応して設置されて、下にあるコイルに対する接着剤テープ３の締結を改善することが実現される。前記狭い接着剤テープ３が、単一巻き付け式テープを有する実施形態の変形において同様に存在する可能性がある、または、全く設けられない場合があることが留意されるべきである。幾つかのテープの場合、更なる変形として、第２のテープ１０’’がスピンドルＭのいずれの部分にも直接接触しないため、第２のテープ１０’’において接着剤フィルム２が全幅であることが可能である。
【００５０】
チューブ状コア１の更なる実施形態（図示せず）において、第２のテープ１０’’が第１のテープ１０’に巻き付けられる図２の実施形態の例と同様に、それぞれが直前のテープに巻き付けられる幾つかのテープ１０を使用することが想定される。
【００５１】
第１のテープに続く各テープ１０の接着剤フィルム２は、有利には、テープ自身の幅に等しい幅である。
【００５２】
図３は、スピンドルＭ上へのティッシュペーパーテープ１０の漸進的巻き付け（図１及び図２に同様に示され、以下で更に述べられることになる）が、連続パイプとしての形成においてチューブ状コア１の厚さの増加をどのように決定するかを示すために、６回オーバラップするテープによって形成されるチューブの断面図を示す。
【００５３】
テープは、スピンドルＭ自身から出るまで、同じ図３において矢印Ｚで示す方向に軸方向に延在する。図３の例において、チューブは、７つのコイルによって形成されるため、テープは、その幅の６／７の接着剤フィルム２について覆われ、同じ幅について次のコイルが載置され、一方、テープは、その幅の残りの７番目の幅について、接着剤がなく、スピンドルＭと接触状態である。
【００５４】
各テープ１０のヘリカルコイルＳを部分的に克服することを想定する独創的な技術解決策が、これがただ１つである変形の場合と複数の変形が存在するときの両方において、ティッシュペーパーの固有の特性であって、オーバラップするエリア内に作成されるピッチに対応して成形されかつテープの後続のオーバラップによってスピンドルの径より大きい径に適合するために拡張するのに十分にしなやか(ｙｉｅｌｄｉｎｇ)かつ弾性がある、ティッシュペーパーの固有の特性によって可能にされることを強調することが非常に重要である。
【００５５】
ティッシュペーパーのこれらの固有の特性は、接着剤フィルム２の塗布によって与えられる湿気の寄与によって更に高められる。
【００５６】
コイルのオーバラップによる折り目及びしわの形成をもたらすことになるテープの厚さ及び剛性に関しては、述べた従来技術の場合と同様に、チューブ状コアを形成するためのこの技術解決策が、厚紙テープを使用することによって、または、接着剤及び澱粉の塗布によってオーバラップされ補剛される多数のティッシュテープからなるティッシュテープを使用することによって、採用されない可能性があることが更に指摘される。
【００５７】
そうでない場合、上で述べた本発明によるチューブ状コア１は、チューブを形成しリールを巻き解くためにセクションにおいて修正された伝統的なチューブ成形機によって、または図４及び図５に概略的に示され、ティッシュペーパーの連続パイプＴの形成のために特に設計される特別なチューブ成形機Ａによって、有利に実現される可能性がある。
【００５８】
機械Ａは、１つまたは複数のプライを有するティッシュペーパーのリールＢを、水平軸に関して回転可能に支持し、リールＢから、指示的に最小限２０ｃｍと最大限約１７０ｃｍとの間の所定の幅の前記テープ１０が巻き解かれ、テープ１０は、上で述べたスピンドルＭに方向付けられ、スピンドルＭは、作られる前記チューブＴの内側の径に等しい径を有する円柱シャフトからなる。
【００５９】
リールＢとスピンドルＭとの間に、接着剤塗布器ローラーＲＣが存在し、接着剤塗布器ローラーＲＣは、スピンドルＭへの巻き付け時に内側になることを意図されるテープ１０の面を検出し、予想される幅の接着剤フィルム２を貼る。
【００６０】
スピンドルＭは、リールＢの水平軸のようにその水平軸を持って配置することができるが、コイルＳの巻き付けヘリックスの角度（特に、図５を参照されたい）に対応する角度だけ、水平面上で、リールＢに対して傾斜する。
【００６１】
テープ１０は、その後、スピンドルＭの周りに配置されたベルト牽引要素ＴＣの助けを借りてスピンドルＭにヘリカル螺旋状に漸進的に巻き付けられ、ベルト牽引要素ＴＣは、固定されるが、同様に有利には、ティッシュペーパー自身によってまたは特別なトランスミッションによって回転状態で牽引されて、運動の軸方向成分のみに対するスピンドルとチューブの内部表面との間の滑りを低減できる。
【００６２】
その形成後のティッシュペーパーの連続パイプＴは、テープ上に直前に塗布された糊の乾燥に有利である加熱要素Ｒを通過し、所定の長さに達すると、特別な切断部材（図５のボックスＣに概略的に示す）によって形成中の後に続く連続パイプから切取られるため、得られるチューブ状コア１を、ロールのティッシュペーパーを巻き付け状態で受取るために、下流に配置されかつ図示しないリワインディング機に給送することができる。
【００６３】
通常、前記リワインディング機は、後続の長手方向分割のためにその後得られる最終ロールの幅の数倍程度の広さのティッシュペーパーバンドと共に働き、したがってチューブ状コア１はその結果、対応する長さ、すなわちティッシュペーパーロールが最終的に巻き付けられることになるチューブ状コア１の各ピースの長さの倍数の長さを有するであろう。
【００６４】
例えば上記のチューブ成形機Ａによって実装することができる、本発明において提供される方法によれば、チューブ状コア１の生産は、
−  同じ幅を有する少なくとも１つの相対リールＢから少なくとも１つのティッシュペーパーテープ１０を巻き解くステップと；
−  前記リールＢによって保持されるティッシュペーパーテープ１０をスピンドルＭ上に巻き付けるステップであって、この巻き付けるステップは、テープの幅よりずっと小さくかつテープ１０の全体幅の約数に比例するピッチでヘリカル螺旋に従って実施されるため、形成中の各コイルＳは、先行するコイルの２つ以上に部分的に載置され、そのとき前記コイルＳは、連続パイプＴを形成するために、巻き付け中に前記スピンドルＭに対して軸方向に摺動する状態にある、巻き付けるステップと；
−  スピンドルＭに巻き付けられる相対コイルの内部表面になることを意図される前記テープ１０の側面上に接着剤２を塗布するステップであって、前記接着剤２の塗布は、前記リールＢからの前記巻き解きと前記スピンドルＭへの前記巻き付けとの間に行われ、前記接着剤２の塗布は、前記テープ１０の幅の所定の部分上に実質的に均一に前記接着剤２を分配するように適合され、それにより、前記接着剤フィルム２は、前記スピンドルＭに巻き付けると、先行するコイルにオーバラップし、スピンドルＭの外側表面に接触しない、塗布するステップと；
−  種々のコイルの間に存在する糊の層の乾燥を保証するために、こうして形成されたチューブを加熱するステップと；
−  前記チューブ状コア１の長さに対応する長さに、形成中の連続パイプＴを切断するステップと
を含む。
【００６５】
方法は、実施形態の変形において、前記チューブ状コア１の長手方向軸に沿って互いに所定の量だけ好ましくはずらしたそれぞれのヘリカル螺旋に従って、対応するリールＢからの複数のティッシュペーパーテープ１０の同時巻き解き及び上記スピンドルＭへの上記複数のテープ１０の同時巻き付けを可能にする。
【００６６】
別の実施形態において、接着剤フィルム２は、テープ１０のスピンドルＭに巻き付けられたコイルＳを参照して外側に設けられ、その結果、前記接着剤フィルムが塗布される幅部分は修正され、それはこの場合、後続のコイルＳが接着剤フィルム２を完全に覆うようなものでなければならない。
【００６７】
上記から、当該の本発明の特有の特性は非常に明白であり、その特性は、厚紙コアによって実現されるものと同様に連続パイプを形成することが可能である方法と併せて、チューブ状コアに巻き付けられるロールのティッシュペーパーと同様のティッシュペーパーで作られ家庭用使用または産業用使用のために意図されるチューブ状コアの実現を可能にする。。
【００６８】
本発明によって達成される別の有利な目標は、多数のプライを有するティッシュペーパーのテープを調製するための知られている技術の方法において設けられる、チューブ状コアの実際の形成を開始する前の予備ステップをなくし、生産コストを大幅に節約したことである。
【００６９】
本発明に従って作られるティッシュペーパーのチューブ状コアは、テープのヘリカルコイルのオーバラップ部分及びヘリカルコイル間に挿入される接着剤フィルムのおかげで、軸方向と半径方向の両方においてチューブ状コアが実施しなければならない機能に適し、かつチューブ状コアの各ゾーンにおいて均一な、機械抵抗を有する。このため、ティッシュペーパーロールは、消費者が使用することを見出すティッシュペーパーの前記コアに関して、伝統的な厚紙コアに関するものと非常に似ている形態の安定性及び規則性に関して自己アピールし、また同様にロールの生産者は、ロールの処理及び格納の種々のフェーズにおける必要な効率を保証している、こうして生産されるチューブの安定性に頼ることができる。
【００７０】
容易さが強調されなければならず、その容易さによって、提案される発明において、生産時間、したがってコストを大幅に修正することなく、ティッシュペーパーのチューブ状コアの所望の機械特性を修正し、同時巻き付けにおいてヘリカルコイルのピッチとテープの数の両方を修正することが可能である。例えば、本発明によれば、チューブ状コアの厚さを増すために、同じティッシュテープの巻き付けヘリックスのピッチを修正し、そうして多数のオーバラップしたコイルを得ることで十分であるのに対して、一方、従来のチューブ状ティッシュコア及び関連する実現方法では、多数のテープを巻き付けることが必要とされるだろう。
【００７１】
ティッシュペーパーで同様に作られるチューブ状コアを有するロールを有しているため、ティッシュペーパーを使い切ってしまうと、或る量の予備製品が入手可能であり、予備製品は、ロールペーパーの使用と同様のまたは更に異なる使用のために使用できる。
【００７２】
特にトイレットペーパーのロールの場合、ロールのティッシュペーパーのように、トイレットの排出を通して、チューブ状コアをそのまま廃棄するまたは何らかの方法で使用することが可能でありかつそれは禁忌ではない。同様にキッチンペーパーのロールの場合、本発明によるチューブ状コアを、転動させずキッチンペーパーとして使用することができる。
【００７３】
機械であって、比較的低速度で連続して生産し、その機械において、オポーチュンデバイス(ｏｐｐｏｒｔｕｎｅ  ｄｅｖｉｃｅ)によって全体作業シフト（ｗｈｏｌｅ  ｗｏｒｋ  ｓｈｉｆｔ）のためにチューブを生産できるほどに径及び幅が大きいリールによってペーパーを給送できる、機械によってチューブが作られるため、本発明の方法によって得ることができる高い効率が強調される
【００７４】
これは、前記知られている技法に従って、厚紙またはティッシュテープから始めてチューブ状コアを生産する従来のチュービングに関して起こる機械担当要員の存在の必要性を低減する。前記知られている技法において、厚紙またはティッシュロールは、関連するアップロードによって連続する変更を必要とするほどに短い持続期間を有する。
【００７５】
強調される別の利点は、ロールを得るために長いロールを分割する切断機械に搭載される円形ナイフの持続期間の増加である；実際には、円形ナイフは、厚紙チューブの切断及び厚紙チューブ内の不純物によってスリップアウトする傾向があり、円形ナイフは、結果として生じる摩滅に伴って、連続する研ぎを必要とする。
【００７６】
しかしながら、上記説明が、例示的かつ非制限的価値を有し、したがって、技術的及び／または機能的理由で、チューブ状ティッシュペーパーコアにおいて及び／または述べられたステップを実施するときに必要になる場合がある詳細の任意の変形が、添付特許請求項によって規定される同じ保護範囲内に入るため、考慮されることが理解される。
【図１】
2020511198.tif 000003
【図２】
2020511198.tif 000004
【図３】
2020511198.tif 000005
【図４】
2020511198.tif 000006
【図５】
2020511198.tif 000007
【国際調査報告】
2020511198.tif 000008
2020511198.tif 000009
2020511198.tif 000010